(57)【要約】【課題】コンクリート製のＵ字溝や土留め板などを使用することなく、簡単、かつ、低コストで仮設水路を形成することができ、しかも、何回もリサイクルすることのできる水路形成部材を提供する。【解決手段】掘削された溝６３内に設置することによって仮設水路を形成する水路形成部材１において、溝６３の長手方向に沿う棒鋼状の主筋２と、溝の幅方向にＵ字状に設けられた副筋３とを備えてなり、前記主筋２および副筋３によって格子状のフレーム本体１０を形成するとともに、当該フレーム本体１０に亀甲金網などのメッシュ状のカバー体４を取り付けて構成する。そして、側面部３２から土圧によって膨らみを生じないように、フレーム本体１０を逆ハの字状にするとともに、側面の主筋２に補助筋５を架け渡すようにする。【選択図】図１
2006348548.tif 000002
【特許請求の範囲】
【請求項１】
掘削された溝内に設置されることによって水路を形成する水路形成部材において、溝の長手方向に沿う主筋と、溝の幅方向にＵ字状に設けられる副筋とを備えてなり、前記主筋および副筋によって格子状のフレーム本体を形成するとともに、当該フレーム本体にカバー体を取り付けて構成したことを特徴とする水路形成部材。
【請求項２】
前記フレーム本体が、順次上方に向かって開口幅を広くしたものである請求項１に記載の水路形成部材。
【請求項３】
前記フレーム本体の内側に、開口幅を維持するための補助筋を取り付けてなる請求項１に記載の水路形成部材。
【発明の詳細な説明】
【技術分野】
【０００１】
本発明は、造成工事を行う現場などで用いられる仮設用の水路形成部材に関し、より詳しくは、簡単かつ低コストに仮設水路を形成することのできる水路形成部材に関するものである。
【背景技術】
【０００２】
現在、造成工事などを行う工事現場では、その周囲に仮設水路が設けられるようになっている。この仮設水路は、工事現場に雨水などを浸入させないようにするものであり、工事の終了後に取り除かれるものである。ところで、このような仮設水路は、一般に、コンクリート製のＵ字溝（特許文献１）や、丸太杭や土留め板などによって設けられることが多い。
【特許文献１】特公平２−３５０９７号公報
【発明の開示】
【発明が解決しようとする課題】
【０００３】
しかしながら、このようなコンクリート製のＵ字溝を用いて仮設水路を形成する場合は、そのＵ字溝自体が数十キログラム〜１トンの重さを有しているため、重機などを用いて設置作業を行わなければならない。また、材料としても鉄筋コンクリートを用いているため、コスト的にも高くつくといった問題を有していた。
【０００４】
また、丸太杭や土留め板を用いて仮設水路を形成する場合は、まず、溝内に沿って重機を用いて丸太杭を打ち込まなければならず、その作業が大掛かりなものとなる。また、その打ち込まれた丸太杭と法面との間に土留め板を取り付けなければならないが、この土留め板を丸太杭に釘打ちするスペースを確保するために、あらかじめ幅広く溝を掘削しておかなければならず、更には、釘打ちにも非常に手間がかかるといった問題を有していた。
【０００５】
加えて、このような仮設水路は、一般に、工事が終了した後に取り除かれることが多いが、コンクリート製のＵ字溝を用いた仮設水路の場合は、そのＵ字溝を回収するために、同様に重機を用いなければならず、一方、丸太杭や土留め板を用いた仮設水路の場合は、これらの丸太杭や土留め板を回収するために、釘の抜き取り作業や丸太杭の引き抜き作業、ひいては、回収された丸太杭や土留め板の焼却処分などといった作業を行わなければならず、非常に時間や手間がかかるといった問題を有していた。
【０００６】
そこで、本発明は上記課題に着目してなされたもので、コンクリート製のＵ字溝や土留め板などを使用することなく、簡単、かつ、低コストで仮設水路を形成することができ、しかも、何回でもリサイクルすることのできる水路形成部材を提供することを目的とする。
【課題を解決するための手段】
【０００７】
すなわち、本発明は、上記課題を解決するために、掘削された溝内に設置されることによって水路を形成する水路形成部材において、溝の長手方向に沿う主筋と、溝の幅方向にＵ字状に設けられる副筋とを備えてなり、前記主筋および副筋によって格子状のフレーム本体を形成するとともに、当該フレーム本体にカバー体を取り付けて構成するようにしたものである。
【０００８】
このように格子状のフレーム本体によって水路形成部材を構成すれば、水路形成部材全体を軽量化することができるため、一人でも簡単に仮設水路を形成することができるようになり、また、水路形成部材の製造コストも大幅に削減することができる。さらに、丸太杭や土留め板などのように回収後に焼却処分をする必要もなくなり、何回でも繰り返し使用することができる。しかも、リサイクルが不能になった場合は、フレーム本体を溶かして再び他の金属製品としてリサイクルすることができるため、コンクリート製のＵ字溝などのような産業廃棄物として処分する必要もなくなる。
【０００９】
また、このようなフレーム本体を、順次上方に向かって開口幅を広くした形状、すなわち、逆ハの字状に構成する。
【００１０】
このような形状にすれば、水路形成部材を保管する場合や運搬する場合、それぞれの水路形成部材をスタッキングすることができるため、保管効率や運搬効率を高めることができるようになる。
【００１１】
さらに、このようなフレーム本体の内側に、開口幅を維持するための補助筋を取り付けるようにする。
【００１２】
このようにすれば、法面から土圧がかかった場合であっても、その補助筋によって側面の開口幅を維持することができるため、側面の膨らみを防止して側面からの土砂の崩落を防止することができるようになる。
【発明の効果】
【００１３】
本発明における水路形成部材は、溝の長手方向に沿う主筋と、溝の幅方向にＵ字状に設けられる副筋とを備えてなり、前記主筋および副筋によって格子状のフレーム本体を形成するとともに、当該フレーム本体にカバー体を取り付けて構成するようにしたので、水路形成部材の軽量化を図ることができる。これにより、一人でも簡単に仮設水路を形成することができ、また、製造コストや作業コストなどを大幅に削減することができる。さらには、何回でもリサイクルすることができるとともに、リサイクルが不能になった場合には、フレーム本体を溶かして、他の金属製品としてリサイクルすることができるようになる。
【発明を実施するための最良の形態】
【００１４】
以下、本発明の一実施の形態について図面を参照して説明する。図１は、本実施の形態における水路形成部材１の外観を示す斜視図であり、図２は、図１における正面図を示したものである。また、図３は、水路形成部材１を用いて仮設水路を形成する場合の作業工程を示す図である。
【００１５】
本実施の形態における水路形成部材１は、掘削によって設けられた溝６３内に設置されるものであり、その溝６３の長手方向に沿うように設けられる主筋２と、溝６３の幅方向に沿ってＵ字状に設けられる副筋３とによって格子状のフレーム本体１０を構成するとともに、このフレーム本体１０の外側に、メッシュ状のカバー体４を取り付け、更に、そのフレーム本体１０の内側に補助筋５を取り付けるようにしたものである。
【００１６】
このフレーム本体１０は、人間が一人で持ち運びできるような大きさに設定されるもので、例えば、長手方向の寸法が約１メートル、底面部分の幅寸法が約３０センチメートルから５０センチメートル、側面部分の高さ寸法が約３０センチメートルから１メートル程度に設定される。これによりフレーム本体１０を、約３キログラム〜５キログラム程度の重さにすることができる。なお、この実施の形態では、溝６３に沿う方向を長手方向とし、また、溝６３の側壁間の方向を幅方向としている。
【００１７】
フレーム本体１０を構成する主筋２は、例えば、直径６ミリメートルから直径１３ミリメートルの棒鋼で構成される。これらの寸法は、設置される溝６３の高さ寸法に適合するように選択され、溝６３の高さ寸法が大きい場合は、直径の大きな主筋２が用いられる。この主筋２には、その表面に亜鉛メッキなどの防錆処理が施されており、これによって、長期間にわたる使用やリサイクルを可能にしている。また、この主筋２の端部には、地面側に向かってほぼ直角に屈曲させたアンカー部２１を備えている。このアンカー部２１は、設置時に突出部分を地面に食い込ませることによって地面とのずれを防止するものであり、主筋２の片方、若しくは、両側にのみ設けられる。なお、図１では、片方側にのみアンカー部２１を設けている場合を図示している。
【００１８】
一方、この主筋２と直交するように設けられた副筋３は、主筋２よりも若干細めの棒鋼で、例えば、直径５ミリメートルから１０ミリメートルの棒鋼によって構成される。この副筋３は、一本の棒鋼を屈曲させて構成され、この屈曲によって底面部３１と側面部３２を形成するようにしている。この側面部３２は、漸次上方に向かって対向する側面部３２との開口幅を広くするようなテーパー状、すなわち、逆ハの字型状としている。この開口角度については、スタッキング効率などを考慮して、約９５度となるように設定しているがこのような角度に限定されるものではない。
【００１９】
そして、このように構成された主筋２と副筋３は、溶接によって格子状に接合される。このように主筋２と副筋３を格子状に溶接する場合、主筋２をフレーム本体１０の内側に設ける方法や、主筋２をフレーム本体１０の外側に設ける方法などが存在するが、この実施の形態では、主筋２をフレーム本体１０の外側に設けるようにしている。すなわち、長手方向の主筋２を内側に設けると、側面から部分的に土圧がかかった場合、その部分のみが内側に押されて膨らみを生じてしまい、その膨らみによって、長手方向に沿う内側の主筋２が持ち上げられ、他の部分における副筋３との溶接が剥がれてしまう可能性がある。また、底面部分についても、地面との接触部分を副筋３としてしまうと、水の流れ方向と垂直な方向に棒鋼の副筋３を設けることになるので、スムーズな水の流れを阻害してしまう。このため、本実施の形態では、主筋２を外側に設けるようにして、側面から土圧がかかった場合であっても主筋２を剥がれないようにするとともに、底面部分についても、水の流れに沿った主筋２を地面側に設けるようにすることによって、水の流れをスムーズなものにしている。
【００２０】
そして、このように構成されたフレーム本体１０の外側には、カバー体４が取り付けられる。このカバー体４は、亀甲金網などのようなメッシュ体で構成されるもので、土留めされた土砂を仮設水路内に入り込ませないようにしたものである。なお、このカバー体４のメッシュから小さな土砂が仮設水路内に入り込む可能性はあるが、このメッシュの開口部分に草などを植生させることができるので、数日後には亀甲金網などからの土砂の流出を完全に防止することができるようになる。このカバー体４は、亀甲金網などに限らず、例えば、糸や紐などによって構成された結節網や無結節網、織網などを用いることができる。また、完全な水漏れを防止するためには、ナイロンやビニールなどの防水性の部材を用いることもできる。
【００２１】
このように構成されたフレーム本体１０の内側には、補助筋５が取り付けられる。この補助筋５は、対向する側面部３２の土圧による変形を防止するもので、所定の高さ毎の主筋２に着脱可能に取り付けられる。この補助筋５は、フック状に設けられたフック部５１を主筋２に引っ掛けることで取り付けられるが、比較的浅い仮設水路にあっては、このような補助筋５は取り付けられない場合もある。一方、比較的深い仮設水路では、高さ方向の複数箇所にわたって補助筋５が取り付けられる。
【００２２】
次に、このように構成された水路形成部材１を用いて仮設水路を形成する場合の作業工程について図３を用いて説明する。
【００２３】
まず、丘陵地（図３（ａ））において住宅などの造成工事を行う場合、丘陵地部分を掘削して多段の平面部分を設ける（図３（ｂ））。そして、この傾斜部と平面部分の境界にユンボなどを用いて排水用の溝６３を設ける（図３（ｃ））。この際、掘削される溝６３の幅寸法は、水路形成部材１の幅寸法よりも若干大きめの幅寸法となるようにする。なお、図３（ｃ）は、図３（ｂ）の平坦部分と傾斜部分との境界を拡大した図を示している。
【００２４】
そして、このような掘削工事を行った後、この溝６３の長手方向に沿って水路形成部材１を嵌め込むようにして取り付けていく（図３（ｄ））。この際、水路形成部材１のずれを防止すべく、主筋２のアンカー部２１が隣接する水路形成部材１の副筋３に引っ掛けるようにして並べていく。なお、水路形成部材１のずれが生じにくい場合は、アンカー部２１を引っ掛けることなく、独立してアンカー部２１を地面に埋め込んでいく。このように水路形成部材１を設置した後、隣接する水路形成部材１の側面部３２との間に段差が生じないように、図１に示すような円筒中空状の連結部材２０を主筋２に嵌め込んでそれぞれの水路形成部材１を連結する。
【００２５】
そして、このようにして水路形成部材１を設置した後、適宜、フレーム本体１０の内側に補助筋５を一定の間隔で取り付けていくとともに、側面部３２と法面との間に生じた隙間に土砂を埋め込んでいき（図３（ｅ））、仮設水路を形成する。
【００２６】
このように形成された仮設水路によって、傾斜地からの雨水を長手方向に沿って排水することができるが、この水路形成部材１は格子状に構成されているため、雨水を地面に浸透させてしまう可能性がある。しかしながら、大量の雨が降った場合は、従来の丸太杭や土留め板の場合と同様に、その仮設水路に沿って雨水を排出することができ、しかも、亀甲金網の間に多くの植物を植生させた場合には、より排水効果を高めることができるようになる。
【００２７】
次に、このような仮設水路から水路形成部材１を取り除く場合の作業工程について説明する。この水路形成部材１の取り除き作業は、一般的には、設置工事と逆の方法で行う（図３（ｅ）〜図３（ｃ））。すなわち、まず、所定間隔おきに取り付けられた補助筋５を取り外していくとともに、連結部材２０を取り外し、水路形成部材１を上方に持ち上げていく。この際、側面部３２からの土圧によって取り外しが困難であれば、副筋３の側面部３２を内側に引き寄せ、これによって側面部３２と法面との間に隙間を空けて取り外しを行えるようにする。もしくは、カバー体４のメッシュの隙間に植物が植生して抜き取りが困難な場合は、カバー体４をフレーム本体１０から取り外して、フレーム本体１０のみを取り除き、後に、カバー体４を取り除いていく。以下、同様にして水路形成部材１を取り除き、最後に残された溝に土砂を埋めていく。
【００２８】
上述のように、本実施の形態によれば、棒鋼で構成された主筋２と副筋３によって格子状のフレーム本体１０を形成するとともに、フレーム本体１０に亀甲金網などのメッシュ体を取り付けるようにしたので、水路形成部材１の軽量化を図ることができ、大がかりな重機などを用いることなく簡単な手作業で設置作業を行うことができる。しかも、フレーム本体１０が金属で構成されているため、製造コストを大幅に低減することができ、また、何回でもリサイクルできる。しかも、リサイクルが不能になった場合には、金属を溶かして再び他の金属製品として使用することができるようになる。
【００２９】
また、上記実施の形態では、フレーム本体１０の形状を、順次上方に向かって開口幅を広くした逆ハの字状にしたので、大量の水路形成部材１を保管・運搬する場合、それぞれをスタッキングさせることで、保管効率や運搬効率を高めることができる。
【００３０】
さらに、このようなフレーム本体１０における内側に、開口幅を維持するための補助筋５を取り付けるようにしたので、両側面から土圧がかかってもその補助筋５によって側面部３２の膨らみを押さえることができ、側面からの土砂の崩落を防止することができるようになる。
【００３１】
なお、本発明は上記実施の形態に限定されることなく、種々の態様で実施することができる。
【００３２】
例えば、上記実施の形態では、逆ハの字状にフレーム本体１０を形成しているが、このような形状に限定されることなく、側面を垂直な形状としてもよい。
【００３３】
また、上記実施の形態では、副筋３を屈曲させてＵ字状にしているが、副筋３を屈曲させるのではなく、側面や底面の副筋３を独立した棒鋼で構成し、これを主筋２に溶接するようにしてもよい。
【００３４】
さらに、上記実施の形態では、主筋２を外側に設けるようにしているが、主筋２と副筋３の配置関係はこれに限定されるものではなく、主筋２を内側に設けるようにしてもよい。
【図面の簡単な説明】
【００３５】
【図１】本発明の一実施の形態における水路形成部材の外観斜視図
【図２】図１における正面図
【図３】仮設水路を設ける場合の作業工程を示す図
【符号の説明】
【００３６】
１    水路形成部材
２    主筋
３    副筋
４    カバー体
５    補助筋
１０    フレーム本体
２０    連結部材
２１    アンカー部
３１    底面部
３２    側面部
５１    フック部
６３    溝
【図１】
2006348548.tif 000003
【図２】
2006348548.tif 000004
【図３】
2006348548.tif 000005